(57)【要約】      （修正有）【課題】ＫＮＸを適用した家屋及びビルディングシステムの制御部材として必要とする機能を集約した押しボタンを提供する。【解決手段】押しボタンは、ロッカースイッチ１２、１３と、前記ロッカースイッチ１２、１３により操作されるマイクロスイッチ３０、３１と、ソケットと、制光を制御する制御装置とを含む。前記ロッカースイッチ１２、１３は、ロッカースイッチ支持部に収容され、それぞれ別々のスイッチプッシャー１８、１９を介して前記マイクロスイッチ３０、３１を駆動するスイッチアーム１６、１７を有している。【選択図】図１
2012015106.tif 000002
【特許請求の範囲】
【請求項１】
家屋及びビルディングシステムの技術制御部材としての押しボタン（１）であって、  
マイクロスイッチ（３０、３１、３２、３３）が設けられている回路基板（２７、２８）がバイナリーインプットに加えて中に収容されている、壁に挿入される部分（２）を有しており、  
この壁に挿入される部分（２）は、ロッカースイッチ（１２、１３）を収容するためのロッカースイッチ支持部（１０）を有しており、  
前記ロッカースイッチ（１２、１３）は、別々のスイッチプッシャー（１８、１９、２０、２１）を介して前記マイクロスイッチ（３０、３１、３２、３３）を駆動するスイッチアーム（１６、１７）を有しており、  
ソケットと、スイッチと、押しボタンと、制光装置とのための従来のインストール装置プログラムのロッカーが、制御装置（６）として使用されることを特徴とする、  
押しボタン（１）。
【請求項２】
前記ロッカースイッチ支持部（１０）は、平坦な支持面（１５）が設けられているシャフト（１４）を収容するように、平坦な支持面（１１）が設けられているシャフトハウジング（８）を有しており、少なくとも１つの圧縮ばね（２３、２４）が、これら平坦な支持面（１１、１５）が互いに押圧されるように前記シャフト（１４）に弾性的に圧力を加えることを特徴とする、請求項２に記載の押しボタン（１）。
【請求項３】
前記スイッチプッシャー（１８、１９、２０、２１）の各々は、前記回路基板（２７、２８）へのストップを形成するリブ（２２）を有していることを特徴とする、請求項１に記載の押しボタン（１）。
【請求項４】
前記制御部材（６）のストップを規定するように、ダンピング部材（３８）が設けられていることを特徴とする、請求項１に記載の押しボタン（１）。
【請求項５】
前記ダンピング部材（３８）は、固定部材（３５）に装着されており、この固定部材（３５）は、保持タブ（４０）によって、前記壁に挿入される部分の支持リング（３）のハウジング（４）に係合し、従って、前記壁に挿入される部分（２）中で、前記ソケットと、スイッチと、押しボタンと、制光装置とのための従来のインストール装置のカバーフレーム（７）をロックすることを特徴とする、請求項４に記載の押しボタン（１）。
【請求項６】
前記壁に挿入される部分（２）は、プログラミング装置のためのインターフェース（４２）を有していることを特徴とする、請求項１乃至５のいずれか１に記載の押しボタン（１）。
【請求項７】
前記壁に挿入される部分（２）は、動作を開始するためのプログラミング押しボタン（４３）を有していることを特徴とする、請求項１乃至６の押しボタン（１）。
【請求項８】
前記壁に挿入される部分（２）は、ＫＮＸブッシングのためのターミナルコンパートメント（２５）を有していることを特徴とする、請求項１乃至７のいずれか１に記載の押しボタン（１）。
【請求項９】
前記壁に挿入される部分（２）は、上側のケーシング部分（９）と下側のケーシング部分（２６）とを有しており、これら両部分は、保持手段（２９）によって互いに取着されている、請求項１乃至８のいずれか１に記載の押しボタン（１）。
【発明の詳細な説明】
【技術分野】
【０００１】
本発明は、特にＫＮＸの適用（コネックス組合によって認められた家屋及びビルディングシステム技術のための基準）のための、家屋及びビルディングシステムの技術制御部材としての押しボタンに関わる。
【背景技術】
【０００２】
特許文献１は、土台に装着されており且つこの土台に対して移動可能な駆動ロッカーを有する電気スイッチを開示している。この駆動ロッカーは、前記土台に設けられているマイクロスイッチに、駆動ピンによって圧力を加える。前記駆動ロッカーのばねシャフト支持材が、設けられており、このばねシャフト支持材内で前記駆動ロッカーのシャフトの端部が、前記土台に装着されている第１のばね部材のシャフトハウジングに係合している。前記駆動ロッカーの角領域が、前記土台から離れる方向に、第２のばね部材を押圧する。ロッカー保持部材が、前記土台に対する前記駆動ロッカーの最大の移動度に対するストップを形成している。前記土台は、バスカップラーを収容した装置の土台に接続され得、このバスカップラーによって、前記マイクロスイッチによって発生される信号が、バスシステムに供給される。代わって、前記土台は、前記マイクロスイッチによって駆動され得るリレーを有している装置の土台に、接続され得る。
【０００３】
ＫＮＸ制御装置は、このような装置が、制御部材が連結されているＵＰインサート（壁に挿入される部分）としてバイナリーインプットを有するように、通例設計されている。この形式の制御部材は、マイクロスイッチを有する回路基板が装着されている土台によって通例構成されており、弾性的に組み立てられているロッカーが、この土台に装着されており、例えばこの土台中に保持されている。このような形式のものの概念では、１種類の制御部材が、ソケットと、スイッチと、押しボタンと、制光装置（dimmers）とのための従来のインストール装置プログラムの各々に対して、及び、このプログラムの各々のカラーに対して、製造、供給されなければならない。
【先行技術文献】
【特許文献】
【０００４】
【特許文献１】DE 10 2006 024 994 B3
【発明の概要】
【０００５】
本発明は、家屋及びビルディングシステムの技術制御部材としての最適化された押しボタンを提供するという目的に基づいている。
【０００６】
この目的は、本発明に従えば、  
マイクロスイッチが設けられている回路基板が、バイナリーインプットに加えて中に収容されている、壁に挿入される部分を有しており、  
この壁に挿入される部分は、ロッカースイッチを収容するためのロッカースイッチ支持部を有しており、  
このロッカースイッチは、別々のスイッチプッシャーを介して前記マイクロスイッチを駆動するスイッチアームを有しており、  
ソケットと、スイッチと、押しボタンと、制光装置とのための従来のインストール装置プログラムのロッカーが、制御装置として使用される、家屋及びビルディングシステムの技術制御部材としての押しボタンによって、達成される。
【０００７】
好ましい実施形態は、前記ロッカースイッチ支持部が、平坦な支持面が設けられているシャフトを収容するように、平坦な支持面が設けられているシャフトハウジングを有しており、少なくとも１つの圧縮ばねが、前記平坦な支持面が互いに押圧されるように前記シャフトに弾性的に圧力を加えることを、特徴としている。従って、前記制御部材を駆動した後に、この制御部材は、最初の配置位置（中間の位置、即ち支持リングに対して平行なゼロの位置）に、常に戻る。
【０００８】
スイッチプッシャーが、前記回路基板へのストップを形成するリブを有していることが、有効である。このことによって、前記マイクロスイッチは、過度に高い圧力による破損／破壊から防がれる。
【０００９】
ダンピング部材が、前記制御部材のストップを規定するように、オプションとして設けられる。これは、改良された「スイッチの感触（switch feeling）」を提供する。これらダンピング部材は、好ましくは固定部材に装着されており、この固定部材は、保持タブによって壁に挿入される部分の支持リングのハウジングに係合し、従って、前記壁に挿入される部分で、ソケットと、スイッチと、押しボタンと、制光装置とのための従来のインストール装置プログラムのカバーフレームを、ロックする。
【００１０】
本発明によって得られる効果は、ソケットと、スイッチと、押しボタンと、制光装置とのための従来のインストール装置プログラムの従来のロッカーが、ソケットと、スイッチと、押しボタンと、制光装置とのための従来のインストール装置プログラムの従来のカバーフレームも同様に、制御部材（単一の制御部材もしくは２重の制御部材）として使用され得ることに特に基づいている。従来のインストール装置プログラムは、この点において、インストール装置の多くの製造者によって市場に出されているように、異なるロッカースイッチの挿入部、ロッカー押しボタンの挿入部、制光装置の挿入部、ソケットの挿入部、及び、規定の設計、及び規定のカラーの１倍、２倍、３倍、４倍のロッカー及びカバーフレームを有しているプログラムとして、理解される。
【００１１】
本発明の適切な構成は、従属の請求項に特徴付けられている。
【図面の簡単な説明】
【００１２】
【図１】図１は、押しボタンの、壁に挿入される部分の断面図である。
【図２】図２は、押しボタンの側面図である。
【図３】図３は、前記壁に挿入される部分の側面図である。
【図４】図４は、押しボタンの後方からの斜視図である。
【図５】図５は、押しボタンの「分解図」を示す図である。
【図６】図６は、押しボタンの固定部材を示す図である。
【図７】図７は、前記壁に挿入される部分の正面図である。
【図８】図８は、固定部材の詳細図である。
【図９】図９は、前記壁に挿入される部分の正面斜視図である。
【図１０】図１０は、２重の押しボタンの、壁に挿入される部分の「分解図」である。
【図１１】図１１は、４重の押しボタンの、壁に挿入される部分の「分解図」である。
【発明を実施するための形態】
【００１３】
本発明は、図に示されている実施形態によって以下に説明される。  
図１は、押しボタンの、壁に挿入される部分の断面図である。バイナリーインプットを形成している前記壁に挿入される部分は、上側のケーシング部分９と、下側のケーシング部分２６と、支持リング３とによって構成されている。（２重の押しボタンを形成するための）ロッカースイッチ１２、並びに（４重の押しボタンを形成するための）ロッカースイッチ１３は、前記上側のケーシング部分９に装着されている。このケーシング部分９は、スイッチアーム１６及び１７と、互いに接続されているスイッチプッシャー１８及び１９とによって、（２重の押しボタンの場合は）回路基板２７に、（４重の押しボタンの場合は）回路基板２８に設けられるマイクロスイッチ３０及び３１に、作用し得る。少なくとも１つの圧縮ばね２３が、駆動を行った後に、前記ロッカースイッチを、再び規定の初期の中間位置に再び戻すように助力する。前記スイッチプッシャー１８、１９には、エンドストップを規定しているリブ２２が設けられており、即ち、前記スイッチプッシャー１８、１９は、前記ロッカースイッチ１２、もしくは１３の駆動によって、前記回路基板２７もしくは２８を押圧し、この時、過激な圧力、従って、マイクロスイッチの過重負荷を安全に防ぐ。前記スイッチプッシャーは、一方のロッカースイッチと、他方のマイクロスイッチとの間での相対運動の伝達を防ぐ。前記スイッチの安全性は、かくして高められる。
【００１４】
図２は、押しボタンの側面図を示しており、この図から、押しボタンの壁に挿入される部分２が、カバーフレーム７と単一の制御部材もしくは２重の制御部材として形成されている制御部材６、即ちロッカーによって完成されることが、推測される。前記制御部材６即ちロッカーと、前記カバーフレーム７との両方は、ソケットと、スイッチと、押しボタンと、制光装置とのための従来のインストール装置から取り出され得ることが、有効である。
【００１５】
図３は、一方では、前記支持リング３と前記上側のケーシング部分９との間の保持部材５と、前記上側のケーシング部分９と前記下側のケーシング部分２６との間の保持部材２９とを示しており、他方では、前記上側のケーシング部分９のロッカースイッチ支持部１０中の前記ロッカースイッチ１２もしくは１３を示している。このロッカースイッチ支持部に関しては、前記ロッカースイッチ１２もしくは１３のシャフト１４が、前記ロッカースイッチ支持部１０のシャフトハウジング８に係合している。前記ロッカースイッチ支持部１０の前記シャフトハウジング８中の平坦な支持面１１、即ち前記シャフトハウジング８の制御部材６に向けられている面の「シャフト支持部」が、重要である。従って、前記シャフト１４の平坦な支持面１５が、構成されている。少なくとも１つの圧縮ばね２３の後方への弾性力によって、前記シャフト１４の平坦な支持面１５と、前記シャフトハウジング８の平坦な支持面１１とが、互いに押圧される。かくして、前記ロッカースイッチ１２もしくは１３を前記壁に挿入される部分２の前記支持リング３に対して平行に向けることは、静止した状態で、自動的に為される。
【００１６】
図４は、プッシュボタンの後方からの斜視図を示している。押しボタン１の、壁に挿入される部分２の底領域には、ＫＮＸブッシングのためのターミナルコンパートメント２５が、設けられている。図は、商業的に入手可能なＵＰジャンクションの箱（UP junction box）中に装着するためのばねセパレータの、オプションとしての設置のための２つのセパレータハウジング３４と、前記支持リング３と、前記カバーフレーム７と、更に示している。
【００１７】
図５は、押しボタンの「分解図」であり、前記壁に挿入される部分２と、カバーフレーム７と、固定部材３５と、制御部材６、即ちロッカーとのような、重要な構成要素を、示している。前記固定部材３５は、前記壁に挿入される部分２内に、前記カバーフレーム７をロックするように機能する。前記固定部材３５のオプションとしての機能は、ダンピングによって前記制御部材６のストップを規定することに基づいている。このために、前記固定部材３５には、複数のダンピング（damping）部材３８が設けられている。
【００１８】
図６は、押しボタンの固定部材３５を詳細に示している。矩形ベースのフレーム３６を有している固定部材３５は、（図７に示されているように）対応するハウジング４中に前記支持リング３を挿入するために、対称に設置された４つの弾性の保持タブ４０を、有している。前記保持タブ４０とは反対側の主面に、この固定部材３５は、これのベースのフレーム３６の角領域に複数のダンピング部材３８を有しており、これらは、（図５にも示されているように、）駆動された時に、前記制御部材６のための減衰ストップとなる。
【００１９】
図７は、前記壁に挿入される部分２の正面図を示している。前記壁に挿入される部分２は、プログラミング装置を接続するためのインターフェース４２と、動作を開始させるためのプログラミング押しボタン４３と、オリエンテーションライト４４、好ましくはＬＥＤとを、有している。図６で述べられた前記支持リング３のハウジング４が、更に示されている。
【００２０】
図８は、固定部材３５の詳細図である。ソケットと、スイッチと、押しボタンと、制光装置とのための従来のインストール装置の電気機械スイッチのために使用される商業的に入手可能な固定部材は、前記ベースフレーム３６で２つのダンピング部材用支持部３７を保持するように変更されることが、有効である。ダンピング部材用支持部３７の各々は、一方の主面に２つのダンピング部材３８を有しており、並びに、他方の主面に、前記保持タブ４０が設けられていない前記ベースフレーム３６の主面によって保持されるための、保持手段３９、好ましくは保持突出部を、有している。
【００２１】
図９は、前記壁に挿入される部分２の正面斜視図であり、この図では、ロッカースイッチ支持部１０のシャフトハウジング８に係合するシャフト１４を有するロッカースイッチ１２もしくは１３の支持部が、特に示されている。前記ロッカースイッチのスイッチアーム１７が、更に示されている。
【００２２】
図１０は、２重の押しボタンの、壁に挿入される部分の「分解図」を示している。以下の主要な構成要素、即ち、  
２つのマイクロスイッチ３０、３３が装着されている回路基板２７を有する下側のケーシング部分２６と、  
２つのスイッチプッシャー１８、２１と、  
支持リング３と、  
ロッカースイッチ支持部１０を有している上側のケーシング部分９と、  
２つの圧縮ばね２３、２４と、  
ロッカースイッチ１２と、が見られる。
【００２３】
前記上側のケーシング部分９と前記下側のケーシング部分２６との間の保持部材２９が、更に見られ得る。
【００２４】
図１１は、４重の押しボタンの、壁に挿入する部分の「分解図」を示している。以下の主要な構成要素、即ち、  
４つのマイクロスイッチ３０、３１、３２、３３が装着されている回路基板２８を有している下側のケーシング部分２６と、  
４つのスイッチプッシャー１８、１９、２０、２１と、  
支持リング３と、  
ロッカースイッチ支持部１０を有している上側のケーシング部分９と、  
２つの圧縮ばね２３、２４と、  
ロッカースイッチ１３と、が見られ得る。
【００２５】
前記上側のケーシング部分９と前記下側のケーシング部分２６との間の保持部材２９が、更に見られ得る。
【符号の説明】
【００２６】
１…押しボタン、２…壁に挿入される部分、３…支持リング、４…固定部材の保持タブのためのハウジング、５…保持部材、６…従来のインストール装置プログラムの制御部材（単一の制御部材もしくは２重の制御部材）、即ちロッカー、７…従来のインストール装置プログラムのカバーフレーム、８…ロッカースイッチ支持部中のシャフトハウジング、９…上側のケーシング、１０…ロッカースイッチ支持部、１１…前記ロッカースイッチ支持部もしくはシャフト支持部の平坦な支持面、１２…２重の押しボタンのためのロッカースイッチ、１３…４重の押しボタンのためのロッカースイッチ、１４…シャフト、１５…シャフトの平坦な支持面、１６、１７…スイッチアーム、１８、１９、２０、２１、…スイッチプッシャー、２２…リブ（回路基板へのストップ）、２３、２４…圧縮ばね、２５…ＫＮＸブッシングのためのターミナルコンパートメント、２６…下側のケーシング部分、２７…２重の押しボタンのための回路基板、２８…４重の押しボタンのための回路基板、２９…上側のケーシング部分と下側のケーシング部分との間の保持部材、３０、３１、３２、３３…マイクロスイッチ、３４…セパレータハウジング、３５…固定部材、３６…ベースフレーム、３７…ダンピング部材支持部、３８…ダンピング部材、３９…保持突出部、４０…保持タブ、４２…プログラミング装置のためのインターフェース、４３…プログラミング押しボタン、４４…オリエンテーションライト
【図１】
2012015106.tif 000003
【図２】
2012015106.tif 000004
【図３】
2012015106.tif 000005
【図４】
2012015106.tif 000006
【図５】
2012015106.tif 000007
【図６】
2012015106.tif 000008
【図７】
2012015106.tif 000009
【図８】
2012015106.tif 000010
【図９】
2012015106.tif 000011
【図１０】
2012015106.tif 000012
【図１１】
2012015106.tif 000013
【手続補正書】
【提出日】平成23年7月20日(2011.7.20)
【手続補正１】
【補正対象書類名】明細書
【補正対象項目名】０００４
【補正方法】変更
【補正の内容】
【０００４】
【特許文献１】DE 10 2006 024 994 B3
【特許文献２】EP 1 469 495 A2
【特許文献３】DE 295 04 491 U1
【特許文献４】DE 40 13 491 A1
【特許文献５】DE 10 2005 062 494 A1
【特許文献６】EP 0 880 209 A2
【特許文献７】DE 10 2008 014 917 A1
【特許文献８】DE 31 29 210 A1
【特許文献９】DE 41 04 572 A1
【特許文献１０】DE 78 33 309 U1
【特許文献１１】DE 10 2008 015 129 B3
【特許文献１２】DE 10 2005 016 082 A1
【外国語明細書】
2012015106000001.pdf